(57)【要約】【課題】粘着力の維持を容易にした付爪ケース及び付爪用粘着剤を提供すること。【解決手段】付爪ケース３０は、対向配置された第１蓋３２ａ及び第２蓋３２ｂと、第１蓋３２ａ及び第２蓋３２ｂの間に配置される収容部４０と、を備える。また、収容部４０は、第２蓋３２ｂ側から立設して第１蓋３２ａとの間に粘着剤層が形成された付爪２０を収容する空間を形成する突起部４５，４６と、その粘着剤層と同系の希釈させた水溶性樹脂からなる付爪用粘着剤を塗工するために第２蓋３２ｂ側に開口させた開口部４７と、を有する。【選択図】  図５
2019176886.tif 000002
【特許請求の範囲】
【請求項１】
対向配置された第１蓋及び第２蓋と、
前記第１蓋及び前記第２蓋の間に配置される収容部と、
を備え、
前記収容部は、前記第２蓋側から立設して前記第１蓋との間に粘着剤層が形成された付爪を収容する空間を形成する突起部と、前記粘着剤層と同系の希釈させた水溶性樹脂からなる付爪用粘着剤を塗工するために前記第２蓋側に開口させた開口部と、を有する、
ことを特徴とする付爪ケース。
【請求項２】
前記突起部は、前記収容部の内壁から延設された支持部に支持されて前記収容部における中央側に配置されることを特徴とする請求項１に記載の付爪ケース。
【請求項３】
前記突起部は、柱状に形成されて複数設けられることを特徴とする請求項１又は請求項２に記載の付爪ケース。
【請求項４】
前記開口部は、前記収容部に収容される付爪の粘着剤が塗工される基端側に対応する位置に配置されることを特徴とする請求項１乃至請求項３の何れかに記載の付爪ケース。
【請求項５】
粘着剤層が形成された付爪に塗工する付爪用粘着剤であって、
前記付爪に塗工された前記粘着剤層と同系の３倍から４倍の範囲の水で希釈させた水溶性樹脂であることを特徴とする付爪用粘着剤。
【請求項６】
前記粘着剤層はアクリル樹脂であり、前記水溶性樹脂は水溶性アクリル樹脂である、ことを特徴とする請求項５に記載の付爪用粘着剤。
【発明の詳細な説明】
【技術分野】
【０００１】
本発明は、付爪ケース及び付爪用粘着剤に関する。
【背景技術】
【０００２】
従来から、指先の装身具として付爪が提案されている。例えば特許文献１には、合成樹脂製の付爪本体と、この付爪の人体の爪と接する面に形成された粘着剤層を有し、粘着剤層の厚みが付爪において人体の爪に対応する箇所の真中部分を厚めとし両端を薄くした付爪の構造が開示されている。この付爪は、粘着剤層の厚みを変化させることにより付爪の粘着力を従来に比べて増加させ、使用時に付爪が浮き上がったり剥がれたりする問題点を改良するものとしている。
【先行技術文献】
【特許文献】
【０００３】
【特許文献１】特許第３７２５６４９号
【発明の概要】
【発明が解決しようとする課題】
【０００４】
しかしながら、特許文献１のような付爪は、着脱が繰り返されて粘着剤層の粘着力が汚れ等により低下することがある。付爪の粘着力を回復させるために粘着剤を何度も重ね塗りすると、粘着剤を塗工する作業が煩雑であり、また粘着剤層の厚みが増加して付爪と指との一体感が損なわれてしまう。
【０００５】
本発明は、以上の点に鑑み、粘着力の維持を容易にした付爪ケース及び付爪用粘着剤を提供することを目的とする。
【課題を解決するための手段】
【０００６】
本発明の付爪ケースは、対向配置された第１蓋及び第２蓋と、前記第１蓋及び前記第２蓋の間に配置される収容部と、を備え、前記収容部は、前記第２蓋側から立設して前記第１蓋との間に粘着剤層が形成された付爪を収容する空間を形成する突起部と、前記粘着剤層と同系の希釈させた水溶性樹脂からなる付爪用粘着剤を塗工するために前記第２蓋側に開口させた開口部と、を有する、ことを特徴とする。
【０００７】
本発明の付爪用粘着剤は、粘着剤層が形成された付爪に塗工される付爪用粘着剤であって、前記付爪に塗工された前記粘着剤層と同系の３倍から４倍の範囲の水で希釈させた水溶性樹脂であることを特徴とする。
【発明の効果】
【０００８】
本発明によれば、粘着力の維持を容易にした付爪ケース及び付爪用粘着剤を提供することができる。
【図面の簡単な説明】
【０００９】
【図１】本発明の実施形態に係る付爪を装着した状態の指先の模式図であり、（ａ）は平面から見た様子を示し、（ｂ）は先端側から見た様子を示す。
【図２】本発明の実施形態に係る回復剤として使用する粘着剤の希釈倍率に対する、乾燥時間、重ね塗り回数、及び官能評価を示す図である。
【図３】本発明の実施形態に係る付爪ケースを示す図であり、（ａ）は上蓋を閉じた状態を示し、（ｂ）は上蓋を開いた状態を示す図である。
【図４】本発明の実施形態に係る付爪ケースの上蓋及び下蓋を省略した平面図である。
【図５】本発明の実施形態に係る図４の付爪ケースのＶ−Ｖ断面図であり、（ａ）は付爪を付爪ケースに収容した様子を示し、（ｂ）は付爪に粘着剤を塗工する様子を示す。
【発明を実施するための形態】
【００１０】
つぎに、本発明の実施形態を説明する。図１（ａ）及び図１（ｂ）は、各々付爪２０を装着させた指先の平面から見た模式図及び先端側から見た模式図である。本実施形態の付爪２０は、基端部２１を指１０の爪Ｎと甘皮部分の境界に沿って接するように形成され、全体が指の爪Ｎよりも長く形成される。付爪２０の裏面２０ｂ側には、図１（ａ）及び図１（ｂ）に示すように粘着剤２２による粘着剤層が形成される。粘着剤２２は基端部２１側から先端部２３に向かって付爪２０の略３分の２程度の領域に形成される。付爪２０は、図１（ａ）のように基端部２１及び側端部２４に粘着剤２２を配置しない構成としたり、基端部２１及び側端部２４における粘着剤２２の厚みを薄くすることによって、付爪２０と爪Ｎとの視別を困難にして付爪２０と指１０との一体感を持たせることができる。
【００１１】
付爪２０の基材は熱可塑性の材料により形成することができる。付爪２０の表面２０ａには適宜の装飾を施すことができる。また、本実施形態の粘着剤２２は、アクリル系樹脂６５重量％及び水３５重量％から構成される。粘着剤２２は加熱により付爪２０とともに変形させることができる。例えば、付爪２０を人体の爪Ｎに初めて取り付ける際に、粘着剤２２を塗工した付爪２０を加熱して柔らかくし、柔らかくなった付爪２０を爪Ｎに合わせるようにあてることで付爪２０を爪Ｎの湾曲した表面に沿って変形させることができる。従って付爪２０を様々な爪Ｎの形状に適用させることができる。
【００１２】
付爪２０は、着脱を繰り返すことにより、汚れ等が粘着剤２２に付着して粘着力が低下することがあるため、定期的に（例えば３日に一度）粘着力の回復剤として粘着剤２２１を粘着剤２２に重ね塗りすると粘着力を長持ちさせることができる。本実施形態に示す粘着剤２２１は、粘着剤２２と同系の成分を水で希釈した水溶性樹脂の粘着剤である。
【００１３】
図２は、粘着剤２２１の希釈倍率６１に対する、乾燥時間６２、重ね塗り回数６３、及び官能評価６４の評価結果を示す図である。希釈倍率６１は粘着剤２２を原液とした場合の水による希釈倍率を示している。乾燥時間６２は、粘着剤２２１を付爪２０に塗工してから乾燥するまでの時間であり、希釈倍率が高くなるほど乾燥時間を要する。重ね塗り回数６３は、粘着剤２２１を重ね塗りして、爪Ｎと付爪２０とのフィット感（馴染み）が損なわれるまでの回数を評価したものである。粘着剤２２１は、付爪２０を３回着脱する毎に重ね塗りされる。官能評価６４は、付爪２０の使い心地の評価を示している。また、図２では、粘着剤２２１の塗工具として筆具５０（図５（ｂ）参照）を用いた結果を示している。
【００１４】
重ね塗り回数６３について、希釈倍率６１が３倍、４倍及び５倍では、６０回以上重ね塗りを繰り返しても爪Ｎと付爪２０とのフィット感が損なわれなかった。
【００１５】
粘着剤２２１の塗工後の厚みについて、希釈倍率６１が１倍及び１．５倍では使用感に影響が出る程度の厚みが発生し、希釈倍率６１が２倍及び２．５倍でも少し気になる程度の厚みが発生する。希釈倍率６１が３倍、４倍及び５倍では厚みに関しては問題ないと評価された。一方希釈倍率６１が５倍では、乾燥に４０分の時間がかかり、粘着剤２２１の塗工には手間を感じると評価された。
【００１６】
粘着剤２２１のユーザの扱いやすさについて、希釈倍率６１が１倍及び１．５倍では粘度が比較的高いため付爪２０に塗工する際の抵抗が大きくて扱いにくく、希釈倍率６１が２倍以上では、粘度が比較的低いため付爪２０に塗工する際の抵抗が小さく扱いやすくなっている。
【００１７】
以上の結果から、乾燥時間、重ね塗り回数、塗工後の厚み、及び粘着剤２２１の扱いやすさを総合考慮すると、粘着剤２２１の希釈倍率６１は、付爪２０に予め塗工される原液（粘着剤２２）に対して２倍から４倍が好適であり、好ましくは３倍から４倍が好適である。
【００１８】
次に、図３〜図５を用いて付爪ケース３０について説明する。図３（ａ）の付爪ケース３０は、全体が長矩形板状の略名刺入れサイズに形成される。また付爪ケース３０は、本体部３１と、本体部３１の上側に配置される上蓋３２ａ（第１蓋）と、本体部３１の下側に配置される下蓋３２ｂ（第２蓋）とを備える。上蓋３２ａと下蓋３２ｂは、本体部３１を挟むように対向して配置され、各々本体部３１の側壁３１１ａに設けられた軸部３１２，３１３により回動して開閉することができる。付爪ケース３０は、付爪２０を保管する機能と、付爪２０に粘着剤２２１を塗工するときの作業台としての機能を有する。以下の付爪ケース３０の説明では、上蓋３２ａ側を上、その反対側を下とし、軸部３１２，３１３側を後、その反対側を前とする。また、付爪ケース３０を後方から見た左側を左、その反対側を右とする。
【００１９】
付爪ケース３０の各蓋３２（上蓋３２ａと下蓋３２ｂ）は、同一の部材で構成することができる。上蓋３２ａは、図３（ｂ）に示すように略矩形板状に形成される。上蓋３２ａの長手方向の一方側の側縁には、円筒状の軸部３２１が形成される。また、上蓋３２ａは、軸部３２１と反対側の側縁に、上蓋３２ａを本体部３１に対して係合固定させるための係合板３２２が形成される。係合板３２２は、上蓋３２ａを閉じたときに本体部３１と対向する蓋板３２３の内面側に向かって、蓋板３２３に対し略垂直に延設される。係合板３２２には、上蓋３２ａの長手方向の３ヶ所に係合溝３２２ａが形成される。下蓋３２ｂも上蓋３２ａと同様に軸部３２１と係合板３２２とを有する。
【００２０】
図３（ｂ）で、本体部３１は、内側を上下方向に貫通させた長矩形状の外周枠３１１を有し、外周枠３１１の内側に複数（本実施形態では１２個）の収容部４０を有する。外周枠３１１のうち、長手方向に形成される一方側（後方側）の側壁３１１ａの上縁の両端には円筒状の軸部３１２が形成される。各軸部３１２の円筒内壁面は、対向して同軸の軸受とされる。側壁３１１ａの下縁両側にも円筒状の軸部３１３（一方の軸部３１３は不図示）が形成される。各軸部３１３の円筒内壁面も、軸部３１２と同様に、対向して同軸の軸受とされる。上蓋３２ａは、各軸部３２１の円筒内壁面とされる軸受に、本体部３１側の対応する軸部３１２と共通の軸芯が挿入されて回動可能に形成される。下蓋３２ｂも、各軸部３２１の軸受に本体部３１側の対応する軸部３１３と共通の軸芯が挿入されて回動可能に形成される。
【００２１】
外周枠３１１の側壁３１１ａに対向する前方の側壁３１１ｂには、複数の係合突起３１５が形成される。各係合突起３１５は、側壁３１１ｂの長手方向に延設され、縦断面視略凸円弧状に形成される。図３（ｂ）の上段の係合突起３１５は、上蓋３２ａを閉じたときに上蓋３２ａの各係合溝３２２ａと係合して上蓋３２ａの閉状態を保持させる。下段の各係合突起３１５も、下蓋３２ｂを閉じたときに下蓋３２ｂの各係合溝３２２ａと係合して下蓋３２ｂの閉状態を保持させる。
【００２２】
図４の本体部３１の平面視に示すように、本実施形態の収容部４０（４０ａ〜４０ｌ）は、各々異なる幅の長矩形状に形成される。収容部４０には異なる大きさの付爪２０を収容できる。例えば、後列の収容部４０ａ〜４０ｆには予備を含めた右手用の付爪２０が収容され、前列の収容部４０ｇ〜４０ｌには予備を含めた左手用の付爪２０が収容される。
【００２３】
収容部４０は、外周枠３１１を第１仕切板４１と複数の第２仕切板４２とにより仕切られて形成される。第１仕切板４１は略長矩形状に形成される。第１仕切板４１は、外周枠３１１内の空間を短手方向に分割するように左右の側壁３１１ｃ，３１１ｄ間に亘って設けられる。また、第２仕切板４２は、上蓋３２ａ側の縁部を緩やかな凸円弧状に湾曲させた略長矩形状に形成される（図５（ａ）も参照）。第２仕切板４２は、外周枠３１１と第１仕切板４１とにより仕切られた空間を更に長手方向に分割するように、第１仕切板４１と側壁３１１ａとの間、又は第１仕切板４１と側壁３１１ｂとの間に亘って設けられる。各収容部４０ａ〜４０ｌの長手方向は、本体部３１の短手方向を向くように形成される。このように、各収容部４０は、外周枠３１１、第１仕切板４１及び第２仕切板４２に囲われて形成される。
【００２４】
収容部４０は、収容部４０の左右方向に配置される内壁（側壁３１１ｃ，３１１ｄ又は第１仕切板４１で形成される内壁）に亘って懸架されるように設けられる第１支持部４３と、第１支持部４３の長手方向略中央位置から収容部４０の後方に配置される内壁（第１仕切板４１又は側壁３１１ａで形成される内壁）に亘って懸架されるように設けられる第２支持部４４とを有する。第２支持部４４は、第１支持部４３と略垂直に接続される。また、第１支持部４３及び第２支持部４４は各々角柱状に形成される。図５（ｂ）の付爪ケース３０を逆さにしたＶ−Ｖ断面図に示すように、支持部４３，４４の下端は、本体部３１の外周枠３１１の下端と略同一面となる位置に配置される。
【００２５】
図５（ａ）は、図４の付爪ケース３０のＶ−Ｖ断面において付爪２０を収容した様子を示す図である。支持部４３，４４からは、円柱状の突起部４５及び突起部４６が上方に立設している。突起部４５及び突起部４６は、基端側から先端側に向かって横断面の外径が徐々に小さくなるように側周面が僅かに傾斜した略円錐台状に形成される。突起部４５は、図４の平面視において第１支持部４３と第２支持部４４とが接続する位置に設けられる。突起部４６は、第２支持部４４の長尺方向（前後方向）における中点よりもやや第１支持部４３側の位置に設けられる。また、各突起部４５，４６は、図５（ａ）に示すように、閉じた上蓋３２ａと空間Ｓ１を設けながら略同じ高さに形成される。
【００２６】
以上のように、各収容部４０は、全体を略貫通孔とし、内部に支持部４３，４４と突起部４５，４６を備える構成とした。これにより、収容部４０には、突起部４５，４６を収容部４０における図４の平面視略中央側に配置しながら、図５（ａ）に示すように突起部４５，４６と上蓋３２ａとの間に空間Ｓ１を有し、さらに突起部４５，４６の前後左右に空間Ｓ２を有する構成とした。また、収容部４０は、下蓋３２ｂ側に開口する開口部４７を、突起部４５の前方側に並設している。
【００２７】
図５（ａ）で、使用者は、粘着剤２２側を突起部４５，４６側に向けた状態で、付爪２０を収容部４０に収容することができる。付爪２０は、閉じた上蓋３２ａと突起部４５，４６との間に収容される。付爪２０の基端部２１は、開口部４７と対応する位置に配置される。付爪２０の先端部２３は開口部４７とは反対側に配置される。付爪２０の収容時において、突起部４５，４６の先端は付爪２０の裏面２０ｂの凹んだ中央側部分に当接して、突起部５４，５６と付爪２０とが軽く付着させることもできる。そのため、付爪ケース３０の持ち運び等による付爪２０の過剰な搖動を低減することができ、保管時に付爪２０の破損等を防止することができる。
【００２８】
また、２箇所の突起部４５，４６を円柱状に形成したため、突起部４５，４６の先端が粘着剤２２と接触しても接触面積を抑えることができ、突起部４５，４６と付爪２０との粘着強度を低減できる。従って、使用者は上蓋３２ａを開けて収容部４０内から付爪２０を容易に取り出すことができる。
【００２９】
次に粘着力の回復剤として前述した粘着剤２２１の塗工方法について説明する。まず、収容部４０に付爪２０を収容した状態で、付爪ケース３０を上蓋３２ａが下、下蓋３２ｂが上となるように配置する。そして図５（ｂ）に示すように、下蓋３２ｂを開状態にする。使用者は、粘着剤２２１を含ませた適宜の筆具５０を開口部４７に挿入し、収容部４０内の付爪２０の基端部２１側に塗工する。このとき、湾曲する付爪２０の先端部２３側は基端部２１側が筆具５０により下方に押されるため浮き上がる。しかし付爪２０の先端部２３側の裏面２０ｂは浮き上がった突起部４６の先端と当接するため、粘着剤２２１の塗工作業中に付爪２０が過剰に搖動したり先端部２３側へ移動することが防止される。突起部４５及び突起部４６の長さは、付爪２０が厚い場合は短く、薄い場合は長くする等、適宜設定することができる。
【００３０】
したがって、使用者は付爪２０を付爪ケース３０に収容しながら付爪ケース３０を粘着剤２２１を塗工する作業台として使用して付爪２０のメンテナンスを行うことができる。また、付爪ケース３０には収容部４０が並設されているため、付爪２０を一枚ずつ取り出すことなく、複数の付爪２０のセットに対し連続して一度に粘着剤２２１の塗工をすることができ、メンテナンスの作業性を向上させることができる。また、粘着剤２２１の塗工後は乾くまで待つことなく下蓋３２ｂを閉じ、付爪２０の保管と乾燥を同時に行うことができる。
【００３１】
以上、本発明の実施形態を説明したが、本発明は以上の実施形態によって限定されることはなく、種々の形態で実施することができる。例えば、本実施形態の突起部４５，４６は、各々別体の略柱状に形成したが、突起部４５から突起部４６の位置に亘って形成される板体としてもよい。また、突起部４５，４６を支持する支持部４３，４４は、開口部４７を有した板状部材等により形成することができる。
【符号の説明】
【００３２】
１０      指                          ２０      付爪
２０ａ    表面                        ２０ｂ    裏面
２１      基端部                      ２２      粘着剤
２３      先端部                      ２４      側端部
３０      付爪ケース                  ３１      本体部
３２      蓋                          ３２ａ    上蓋
３２ｂ    下蓋                        ４０      収容部
４０ａ〜４０ｌ  収容部                ４０ｂ    収容部
４１      第１仕切板                  ４２      第２仕切板
４３      第１支持部                  ４４      第２支持部
４５      突起部                      ４６      突起部
４７      開口部                      ５０      筆具
６１      希釈倍率                    ６２      乾燥時間
６３      塗り回数                    ６４      官能評価
２２１    粘着剤                      ３１１    外側壁
３１１ａ〜３１１ｄ  側壁              ３１２    軸部
３１３    軸部                        ３１５    係合突起
３２１    軸部                        ３２２    係合板
３２２ａ  係合溝                      ３２３    蓋板
Ｎ        爪                          Ｓ１      空間
Ｓ２      空間
【図１】
2019176886.tif 000003
【図２】
2019176886.tif 000004
【図３】
2019176886.tif 000005
【図４】
2019176886.tif 000006
【図５】
2019176886.tif 000007